(57)【要約】      （修正有）【課題】持ち運びが簡単で、設置、組み立ても容易な、立っても座っても使うことが可能で、テーブル天板直下には荷物を掛けることも可能なテーブルを提供する。【解決手段】先端に矢尻９を備えた外側パイプ８と、その内側に先端に打ち込み用の無垢棒を備えた内側パイプ６と、その反対側に接続用円盤プレート４があり、内側パイプをスライドして外側パイプの先端矢尻を叩くことにより、地面に突き刺す。裏側に装着されたロック機構３のヒンジ２により、折り畳んだ天板１を開くと、裏側に装着された爪５が内側パイプの接続部と噛み合い、内側パイプと合体し、テーブルとして使用する。外側パイプには、内側パイプを任意の位置で固定できるクランプ機構があり、外側パイプが地面に刺さった状態で内側パイプを任意の位置で固定することにより、天体の高さを自在に変えられ、内側パイプの接続部の直下には、Ｕ字型のフックが設けられている。【選択図】図１
2020175129.tif 000002
【特許請求の範囲】
【請求項１】
先端に無垢の矢尻状金属を備えた金属パイプと、その内側に下端に打ち込み用の無垢棒を備えたパイプがあり、内側のパイプを上下にスライドして外側のパイプの先端矢尻部を後ろから打ち込むことにより、外側パイプを地面に突き刺す。
【請求項２】
内側のパイプは、上端に接続用円盤プレートがある。
【請求項３】
天板裏側に装着されたロック機構付きヒンジにより折り畳まれた天板を開くと、天板裏側に装着された爪が内側パイプの接続用円盤プレートと噛み合い、内側金属パイプと合体し、地面に刺さった外側金属パイプと内側金属パイプを脚とする一本脚テーブルとして使用することが出来る。
【請求項４】
天板の裏側に装着されたロック機構付きヒンジにより、天板は開いた状態で固定され、ロック機構を解除して天板を折り曲げない限り、内側パイプの接続用円盤プレートと爪で繋がった天板は金属パイプの脚から外れる事はない。
【請求項５】
接続用円盤プレート部の直下にはフックがあり、荷物をかけることが可能。
【請求項６】
外側パイプには、内側パイプを任意の位置で固定できるクランプ機構があり、外側パイプが地面に刺さった状態でクランプ機構をネジで締め付けることにより内側パイプを任意の位置で固定し、天体の高さを自在に変えることが可能。
【請求項７】
パイプのクランプはＵ字型で、ネジを過剰に締めすぎても内側のパイプを凹ませるなどのダメージを与えにくい。
【請求項８】
ロック機構付きヒンジは、天板裏側にビス留めするだけで天板を折り畳むことが出来、ヒンジ取り付けの為に天板を加工する必要が無い。
【発明の詳細な説明】
【技術分野】
【０００１】  本発明は、持ち運びが容易で、野外に於いて立っても座っても簡易的に使えるテーブルに関する。
【背景技術】
【０００２】  キャンプや野外イベントなどで椅子とテーブルを使うことはよくあるが、実際に椅子に座るのは夕方以降の落ち着いた時間帯になった時が主である。【０００３】  昼の時間帯は、結局ほとんどの者は落ち着かず立って動き回っている。【０００４】  または、立ったまま友人知人と飲み物を片手に話すことがよくある。【０００５】  その際に、立ったまま使えるテーブルがあると便利である。【０００６】  しかし、現在世の中にキャンプや野外イベントにおいて立った状態で使えて、しかも持ち運びやすいテーブルは存在しない。【０００７】  低いテーブルは沢山あるが、立ったままで使うには天板が低すぎる。【０００８】  一般的なテーブルは脚が４本あり、付近を歩行時に人の足にぶつかるなど邪魔である。【０００９】  また、野外イベントにおいて、複数人のグループが場所取りのためにシートを広げて荷物を置いている事がよくあるが、彼らがその場所に居ない時には場所を取り邪魔である。
【発明の概要】
【発明が解決しようとする課題】
【００１０】  本発明は、これらの問題を解決したもので、道具を使わずに発明品の脚自体が地面に打ち込む機能を有しており、さらに、その地面に刺した脚に折り畳んだ天板を開きながら乗せることにより、ワンタッチで天板を足に接続し、高さを自在に変えられるテーブルとして使用することができることを目的としている。
【課題を解決するための手段】
【００１１】  添付図面を参照して本発明の要旨を説明する。【００１２】  先端に矢尻９が付いた外側パイプ８の内側に、先端に打ち込み用の無垢棒７がついた内側パイプ６が設けられており、内側パイプ６を上下に動かして打ち込み用の無垢棒７で外側パイプ８の矢尻９を叩くことにより、外側パイプ８を地面に突き刺して地面に自立させる。【００１３】  内側パイプ６には、荷物を掛けるフック１２と、天板１と接続する為の逆テーパー状になっている接続用円盤プレート４が設けられている。【００１４】  天板１の裏側にはヒンジ２と爪５があり、折り畳んだ状態の天板をヒンジ２により開くと、爪５が接続用円盤プレート４のテーパー部分にはまり、固定され、ほぼ図１のような状態になり一本足のテーブルとして使用できる。【００１５】  天板１裏側のヒンジ２にはロック機構３があり、天板が完全に開くと、ヒンジ２のリンクの隙間に嵌り、ヒンジ２が閉じることを防止し、このロック機構３を解除すると天板１を閉じて接続用円盤プレート４から外すことが出来る。【００１６】  内側パイプ６には、フック１２が設けられ、荷物を掛けることが出来る。【００１７】  外側パイプ８には内側パイプ６の高さを任意の位置に固定する為のＵ字型クランプ１０と、固定ネジ１１が設けられており、固定ネジ１１を締めるとＵ字型クランプ１０が内側パイプ６を締め込んで任意の位置で固定する。【００１８】  Ｕ字型クランプは、その形状により固定ネジ１１を締めすぎても内側パイプ６を凹ませるなどのダメージを与えにくい。
【発明の効果】
【００１９】  天板を支える脚が一本なので、全体の荷物量が少ない。【００２０】  脚自体が地面に打ち込む道具になっており、地面に打ち込んだ後は天板を開くだけでテーブルとなるので設置が簡易。【００２１】  高さが自在に変えられるので、立った状態でも椅子に座った状態でも使える。【００２２】  コート掛けのように、一本のポールにフックで引っ掛けることで、地面に横に広がっていた荷物を縦に配置することが出来、場所の省スペースにも役立つ。【００２３】  上記により、地面にいてある荷物の出し入れ時にしゃがまなくても良いので、体勢的に楽で容易である。【００２４】  ロック機構付き裏ヒンジを使用することにより、天板裏側にビス留めするだけで折り畳むことが出来、ヒンジ取り付けの為に天板を加工する必要が無く、また、ヒンジ自体にロック機構がついているので、別途ロック機能を有する部品をつける必要が無く、部品点数の省略化、製造工数の削減に役立つ。
【図面の簡単な説明】
【００２５】
【図１】  本発明品の使用状態を示す説明正面図である。
【発明を実施するための形態】
【００２６】  キャンプ、アウトドアイベントなどの屋外で、立った状態でテーブルとして使用し、椅子がある場合には高さを低くして椅子用テーブルとして使用する。
【符号の説明】
【００２７】１  天板
２  ヒンジ
３  ロック機構
４  接続用円盤プレート
５  爪
６  内側パイプ
７  打ち込み用の無垢棒
８  外側パイプ
９  矢尻
１０  Ｕ字型クランプ
１１  固定ネジ
１２  フック
１３  天板が開く動きのイメージ矢印
【図１】
2020175129.tif 000003